(57)【要約】      （修正有）【課題】墓全体の大きさをそれほど増加させることなしに、カロート用のスペースを広く確保することのできる墓および、それを備える霊園を提供する。【解決手段】この考案の墓１は、設置状態の平面視で台形状をなす少なくとも一基の墓石２を備え、前記墓石２を、設置状態で上方側に位置する上層部３ａと、前記上層部３ａの下方側に積層させた下層部３ｂとで構成し、上層部３ａと下層部３ｂとの間で、前記墓石２の台形状の下底側の、設置状態で側方を向く側面に、該墓石２の内側に向けて窪む凹部４を設けるとともに、下層部３ｂで前記凹部４の直下位置に、地下に拡がる納骨スペースを設けてなるものである。【選択図】図１
0003203614.tif 000002
【実用新案登録請求の範囲】
【請求項１】
設置状態の平面視で台形状をなす少なくとも一基の墓石を備え、前記墓石を、設置状態で上方側に位置する上層部と、前記上層部の下方側に積層させた下層部とで構成し、
上層部と下層部との間で、前記墓石の台形状の下底側の、設置状態で側方を向く側面に、該墓石の内側に向けて窪む凹部を設けるとともに、下層部で前記凹部の直下位置に、地下に拡がる納骨スペースを設けてなる墓。
【請求項２】
上層部上に、墓標プレートを横にして配置してなる請求項１に記載の墓。
【請求項３】
下層部上で前記凹部内に、前記納骨スペースの開口部を覆蓋するべく開閉可能な納骨スペース蓋を設けてなる請求項１又は２に記載の墓。
【請求項４】
設置状態で、墓石の上面を、地面に接触する底面からの高さが該墓石の台形状の上底から下底に向けて漸減する傾斜面としてなる請求項１〜３のいずれか一項に記載の墓。
【請求項５】
複数基の墓石を備え、複数基の墓石を、該墓石の台形状の脚側の側面で相互に隣接させて、環状に並べて配置してなる請求項１〜４のいずれか一項に記載の墓。
【請求項６】
複数基の墓石を、互いに隣接する墓石を仕切る墓石区画部を介して相互に連結してなる請求項５に記載の墓。
【請求項７】
前記複数基の墓石のうちの一基を、該墓石の上層部上の墓標プレートおよび、前記納骨スペースをいずれも設けない管理用墓石としてなる請求項５又は６に記載の墓。
【請求項８】
請求項５〜７のいずれか一項に記載の墓を複数個備える霊園であって、平面視で、複数個の墓を、縦方向および、縦方向に直交する横方向に並べて配置するとともに、縦方向および横方向に隣接する四個の墓を頂点とする四角形の対角線の交点位置のそれぞれに配置してなる霊園。
【請求項９】
平面視で、縦方向および横方向に互いに隣接する墓の、環状の該墓の中心点を結んだ線分の中点位置に、樹木を設けてなる請求項８に記載の霊園。
【考案の詳細な説明】
【技術分野】
【０００１】
この考案は、主として死者の遺骨を納め、故人を弔うための墓および霊園、特には、散骨によらない樹木葬に用いて好適な墓および霊園に関するものである。
【背景技術】
【０００２】
近年は、樹木葬の新たな形態の一つとして、図８に例示するように、平面視で円形ないし多角形などの土台５１を配置するとともに、その土台５１上に複数基の墓石５２を、土台５１の外縁部分５１ａに沿ってほぼ環状に並べて配置し、さらに、土台５１の中央部分５１ｂに、樹木等の所定の植物５３を設けたサークル型集合墓５４が注目されている。
【０００３】
この種のサークル型集合墓５４では、これまでの樹木葬のように墓地内の土中に故人の遺骨をそのまま埋めて散骨するのではなく、それぞれの墓石５２の納骨室（いわゆるカロート）内に各故人の遺骨を納めるので、各故人の埋葬箇所が明確になり、従前の樹木葬に抵抗がある人にも受け入れられやすい。また、サークル型集合墓５４は、それ自体の特徴的なデザインやその霊園の景観等が良好であるとして、一定のニーズを満たすに至っている。
【考案の概要】
【考案が解決しようとする課題】
【０００４】
ところで、上述したようなサークル型集合墓５４は、土台５１上に既存の墓石５２を並べて配置したものに過ぎないことから、サークル型集合墓５４では、遺骨を納めるカロートは、これまでの墓石と同様に、墓石５２の内部に、石造りの箱状等の形態で設けられている。それ故に、墓碑や香炉、花立等が載置される土台５１上の墓石５２には、カロートのための広いスペースを確保できず、納骨にスペース上の制約に起因する制限が生じ得るという問題があった。
【０００５】
また、上記のようなサークル型集合墓５４では、土台５１上の墓石５２の内部にカロートが存在するので、「遺骨を土に還す」という樹木葬の本来的な目的の一つが十分に達成されているとは言い難い。従って、このような樹木葬に対する故人の生前の要求又は遺族等の弔意に係る要求に対応するためにも、改善の余地があった。
【０００６】
この考案は、従来の墓ないし墓地が抱えるこのような問題に対処することを課題とするものであり、その主たる目的は、墓全体の大きさをそれほど増加させることなしに、カロート用のスペースを広く確保することのできる墓および、それを備える霊園を提供することにある。また、この考案の他の目的は、遺骨を土に還すことを望む樹木葬のニーズに対応することにある。
【課題を解決するための手段】
【０００７】
この考案の墓は、設置状態の平面視で台形状をなす少なくとも一基の墓石を備え、前記墓石を、設置状態で上方側に位置する上層部と、前記上層部の下方側に積層させた下層部とで構成し、上層部と下層部との間で、前記墓石の台形状の下底側の、設置状態で側方を向く側面に、該墓石の内側に向けて窪む凹部を設けるとともに、下層部で前記凹部の直下位置に、地下に拡がる納骨スペースを設けてなるものである。
【０００８】
ここで、上層部上には、墓標プレートを横にして配置することが好ましい。
またここで、下層部上で前記凹部内には、前記納骨スペースの開口部を覆蓋するべく開閉可能な納骨スペース蓋を設けることが好ましい。
そしてまた、この考案の墓では、設置状態で、墓石の上面を、地面に接触する底面からの高さが該墓石の台形状の上底から下底に向けて漸減する傾斜面とすることが好適である。
【０００９】
特にここでは、上記の墓は、複数基の墓石を備えるものとし、複数基の墓石は、該墓石の台形状の脚側の側面で相互に隣接させて、環状に並べて配置することが好ましい。
この場合、複数基の墓石は、互いに隣接する墓石を仕切る墓石区画部を介して相互に連結することがより好ましい。
【００１０】
上述したように、複数基の墓石を備える墓とする場合、前記複数基の墓石のうちの一基を、該墓石の上層部上の墓標プレートおよび、前記納骨スペースをいずれも設けない管理用墓石とすることができる。
【００１１】
また、この考案の霊園は、上記のいずれかの墓を複数個備えるものであって、平面視で、複数個の墓を、縦方向および、縦方向に直交する横方向に並べて配置するとともに、縦方向および横方向に隣接する四個の墓を頂点とする四角形の対角線の交点位置のそれぞれに配置してなるものである。
この霊園では、平面視で、縦方向および横方向に互いに隣接する墓の、環状の該墓の中心点を結んだ線分の中点位置に、樹木を設けることが好ましい。
【考案の効果】
【００１２】
この考案によれば、墓石の上層部と下層部との間であって側面に、墓石の内側に向けて窪む凹部を設けるとともに、下層部で前記凹部の直下位置に納骨スペースを設けることにより、墓全体の大きさをそれほど増加させることなしに、カロート用のスペースを広く確保することができる。
また、この納骨スペースは、地下に拡がるように設けることから、遺骨を土に還すことを望む樹木葬のニーズに有効に対応することができる。
【図面の簡単な説明】
【００１３】
【図１】この考案の一の実施形態の墓を示す斜視図である。
【図２】図１に示す墓の正面図である。
【図３】図１に示す墓の平面図である。
【図４】図１の墓の納骨スペースを示す部分拡大斜視図である。
【図５】図３のＶ−Ｖ線に沿う略線拡大断面図である。
【図６】図１の墓が備える墓石の一基を取り出して、その凹部を示す斜視図である。
【図７】図１の墓を複数個備える霊園を示す斜視図である。
【図８】従来のサークル型集合墓を示す斜視図である。
【考案を実施するための形態】
【００１４】
以下に図面を参照しつつ、この考案の実施の形態について詳細に説明する。
図１〜３に例示する実施形態の墓１は、図３に示す平面視で台形状をなす石製等の十二基の墓石２、２ａを備え、これらの墓石２、２ａを、その墓石２、２ａの台形状の脚に相当する側の側面で互いに隣接させて環状に並べて配置したものであり、全体としてほぼ円形状を有する。
【００１５】
ここで、各墓石２、２ａは、図４に示すところから解かるように、墓１の設置状態で、上方側に位置する上層部３ａと、上層部３ａの下方側に積層されて地面の上に載置される下層部３ｂとで構成されている。
【００１６】
そして、互いに積層された上層部３ａと下層部３ｂとの間で、墓石２、２ａの台形状の下底に相当する側の、設置状態で側方を向く側面には、墓石２、２ａの内側に向けて窪む凹部４を形成し、さらに墓石２では、この凹部４の直下の位置に、図４に破線で示すように、下層部３ｂに設けられて地下に拡がる納骨スペース５、つまりカロートを設ける。
【００１７】
このように納骨スペース５を地下に設けることにより、地下の納骨スペース５の幅、奥行き、深さ等を大きくとることが可能になって、墓１の全体の大きさを増加させなくとも、納骨スペース５の十分広いスペースを有効に確保することができる。ここでは、墓石２の側面に設けた凹部４は、納骨スペース５への容易なアプローチを可能にするべく機能する。
【００１８】
より詳細には、納骨スペース５は、図５に縦断面図で示すように、その少なくとも一部が地表面ＧＬよりも深い位置に配置されて、立方体ないし直方体その他の箱状の形状を有するものとすることができる。このような地下に拡がる納骨スペース５により、遺骨Ａを土に還したいという遺族等の要求を十分に満たすことが可能になる。
この墓１は、従来のサークル型集合墓のような土台なしで、下層部３ｂの底面を直接的に地表面ＧＬに接触させて設置する。それにより、地下に拡がる納骨スペース５を設けることができる。
【００１９】
なお、納骨スペース５への納骨方法については、遺骨Ａをさらし等の布に包み込んで納骨スペース５に納め、あるいは、遺骨Ａを直接的に納骨スペース５に埋蔵する他、骨壺を用いることも可能である。納骨スペース５の寸法は、上記のような納骨の形態などに応じて適宜選択することができる。たとえば、四個程度の骨壺を配置可能な寸法とすることができる。なお、骨壺を用いる場合、改葬が簡易になって期限付きでの墓１の利用が可能になる。
【００２０】
凹部４の形状は特に問わないが、たとえば図示の実施形態においては、凹部４の長方形状の開口部分側（図５では左側）では、納骨スペース５へのアプローチを容易にするために広くする一方で、墓石５の内部側（図５では右側）では、その内部側に向かうに従って徐々に天井が低くなる形状としている。
【００２１】
この凹部４の内部には、図６に一基のみの墓石２を示すように、下層部３ｂ上で開口する納骨スペース５の開口部を覆う納骨スペース蓋６を設けることができる。この納骨スペース蓋６は、単に下層部３ｂ上に載置することもできるが、たとえば、凹部４の奥側で下層部３ｂにヒンジ連結すること等によって開閉可能に取り付けることもできる。図６に示すところでは、納骨スペース蓋６の上面に、それを開閉する際に把持することのできる取手６ａを設けており、これにより、納骨スペース蓋６の開閉を容易に行うことができる。納骨スペース蓋６は、ほぼ地表面ＧＬ上に位置するように配置することができる。
【００２２】
ところで、墓石２の上層部３ａの上面には、図示のように、表面に死者の戒名、俗名、事績、没年月日などを刻むことのできる石造り等の墓標プレート７を配置することができる。この墓標プレート７は、裏面を上層部３に接触させて横にして取り付けることができる。
【００２３】
図示の実施形態では、先述したように、十二基の墓石２、２ａを備えているところ、これらのうちの一基の墓石２ａは、上記の凹部４を設けているも、図４に示すように、納骨スペース５および墓標プレート７は設けていない。この墓石２ａは、たとえば、維持管理に必要な備品の保管その他の用途に使用する管理用墓石として有効に活用することができる。但し、かかる管理用墓石２ａは必須の構成ではなく、全ての墓石２、２ａを納骨用とすることも可能である。
【００２４】
このような墓石２、２ａでは、その上面と地面に接触する底面との間の高さが、台形状の上底から下底に向けて徐々に低くなるように、上面の少なくとも一部を傾斜面Ｓとすることが好ましい。この場合、墓標プレート７の表面への刻印の視認性が高まる。なお、この実施形態では、外観の良好さ等の観点から、管理用墓石２ａも他の墓石２と同様に、上面を傾斜面としている。
【００２５】
また、複数基の墓石２、２ａのそれぞれの間には、図示の実施形態のように、平面視で、たとえば、墓石２、２ａよりも狭幅のほぼ台形状等をなす墓石区画部８を設けることができる。墓石区画部８の配設により、互いに隣接する墓石２、２ａが区分けされてその境界が明確になり、各墓石２、２ａの独立性を高めることができる。その結果として、各墓石２に納骨された故人の墓参りを、心地よく快適に行うことが可能になる。
【００２６】
特に墓石区画部８は、図示のように、墓石２、２ａ側にそれぞれ位置し、墓石２、２ａより高さが高く厚みの薄い二枚の板状部分８ａと、それらの板状部分８ａの間に位置し、墓石２、２ａと同程度の高さの中間部分８ｂとで構成することが、墓石２、２ａの独立性をさらに高めることができる点でより好ましい。
【００２７】
このような墓１では、サークル型に配置した墓石２、２ａの中央の空間に、植栽領域Ｐａを設け、ここに植栽を施すことができる。具体的には、植栽領域Ｐａの一面に、たとえば薔薇等の花を植樹することが外観上好ましいが、一本以上の樹木または草等を植えることも可能である。
【００２８】
以上に述べた墓１は、たとえば図７に例示するように配置することで、墓地ないし霊園１１を形成することができる。
図７に示す霊園１１では、上空から視た平面視で、複数個の墓１を、縦方向ＬＤおよび、縦方向ＬＤに直交する横方向ＣＤに並べて、複数列および複数行で配置するとともに、縦方向ＬＤおよび横方向ＣＤに隣接する四個の墓１を頂点とする正方形ないし長方形の四角形の対角線の交点位置にも、墓１を配置している。なお図７中、縦方向ＬＤおよび横方向ＣＤは破線で示している。
【００２９】
さらにここでは、平面視で、縦方向ＬＤおよび横方向ＣＤに互いに隣接する墓１の、環状をなす該墓１の中心点Ｃｐを相互に結んだ線分の中点位置に、桜等の樹木１２を設けている。このような霊園１１は、自然と一体的に調和した印象を与える。
【００３０】
なお上述したところでは、十二基の墓石２、２ａを備える墓１を例として説明したが、墓石の数は、必要に応じて適宜選択することができ、それにより、全体としての形状は変化する。たとえば、図６に示すような一基の墓石２のみからなる墓の場合は当然のことながら、全体形状はサークル状にはならないが、このような墓もこの考案には含まれる。
【符号の説明】
【００３１】
１  墓
２  墓石
２ａ  管理用墓石
３ａ  上層部
３ｂ  下層部
４  凹部
５  納骨スペース
６  納骨スペース蓋
６ａ  取手
７  墓標プレート
８  墓石区画部
８ａ  板状部分
８ｂ  中間部分
１１  霊園
１２  樹木
Ａ  遺骨
Ｓ  傾斜面
ＧＬ  地表面
Ｐａ  植栽領域
ＬＤ  縦方向
ＣＤ  横方向
Ｃｐ  環状の墓の中心点
【図５】
0003203614.tif 000003
【図６】
0003203614.tif 000004
【図８】
0003203614.tif 000005
【図１】
0003203614.tif 000006
【図２】
0003203614.tif 000007
【図３】
0003203614.tif 000008
【図４】
0003203614.tif 000009
【図７】
0003203614.tif 000010